(57)【要約】  ＬＡＳｅＲサービス提供時に、グロ−バルＩＤを活用して異なるＳＡＦセッションに存在する要素ストリームを参照する方法、装置及びそのサービス提供装置を開示する。既存ＬＡＳｅＲ及びＳＡＦ構造の変換なしに互いに異なるＳＡＦセッションを使用する要素ストリームをメインストリームで参照するために、要素ストリームに対するグロ−バル・ストリームＩＤ情報をＬＡＳｅＲサービス提供のメインストリームで参照値として使用する構成を有する。これは、既存のＬＡＳｅＲ場面記述でのグロ−バルＩＤを利用するものであり、別途の構成や装置の変化なしに異なるＳＡＦセッションの位置したストリームを効果的に参照できるようにする。
2010507314.tif 000002
【特許請求の範囲】
【請求項１】
ＳＡＦ（Simple Aggregation Format）セッションに位置したストリームで参照しようとする異なるＳＡＦセッションに位置した要素ストリームを決定する段階と、
前記決定された要素ストリームに対するＬＡＳｅＲ（Light Application Scene Representation）サービス場面記述上のグロ−バル・ストリームＩＤ情報を確認する段階と、
前記確認されたグロ−バル・ストリームＩＤ情報を前記ＳＡＦセッションに位置したストリームの参照値として保存する段階と
を含むことを特徴とするＬＡＳｅＲサービスでの異なるＳＡＦセッションのストリーム参照方法。
【請求項２】
前記ＳＡＦセッションに位置したストリームは、ＬＡＳｅＲサービス提供のメインストリーム、またはメインストリーム内の要素ストリームであることを特徴とする請求項１に記載のＬＡＳｅＲサービスでの異なるＳＡＦセッションのストリーム参照方法。
【請求項３】
前記異なるＳＡＦセッションに位置した要素ストリームは、別途ＬＡＳｅＲサービス提供の要素ストリームであることを特徴とする請求項１に記載のＬＡＳｅＲサービスでの異なるＳＡＦセッションのストリーム参照方法。
【請求項４】
前記グロ−バル・ストリームＩＤ情報は、前記異なるＳＡＦセッションに位置した要素ストリームの別途ＬＡＳｅＲサービスについてのＩＤ情報を含むことを特徴とする請求項３に記載のＬＡＳｅＲサービスでの異なるＳＡＦセッションのストリーム参照方法。
【請求項５】
請求項１ないし請求項４のうちいずれか１項に記載のＬＡＳｅＲサービスでの異なるＳＡＦセッションのストリーム参照方法をコンピュータに実行させるためのプログラムを記録したコンピュータで読み取り可能な記録媒体。
【請求項６】
ＳＡＦセッションに位置したストリームで参照しようとする異なるＳＡＦセッションに位置した要素ストリームを決定する参照決定部と、
前記決定された要素ストリームに対するＬＡＳｅＲサービス場面記述上のグロ−バル・ストリームＩＤ情報を確認するストリームＩＤ確認部と、
前記確認されたグロ−バル・ストリームＩＤ情報を前記ＳＡＦセッションに位置したストリームの参照値として保存する参照保存部と
を備えることを特徴とするＬＡＳｅＲサービスでの異なるＳＡＦセッションのストリーム参照装置。
【請求項７】
前記グロ−バル・ストリームＩＤ情報は、前記異なるＳＡＦセッションに位置した要素ストリームの別途ＬＡＳｅＲサービスについてのＩＤ情報を含むことを特徴とする請求項６に記載のＬＡＳｅＲサービスでの異なるＳＡＦセッションのストリーム参照装置。
【請求項８】
ＬＡＳｅＲサービス提供ストリームの参照値から参照する要素ストリームのグロ−バル・ストリームＩＤ情報を確認するストリームＩＤ確認部と、
グロ−バル・ストリームＩＤテーブルを利用し、前記参照する要素ストリームについての情報を獲得する参照情報獲得部と、
前記獲得された情報を基に前記要素ストリームを参照し、ＬＡＳｅＲサービスを提供するサービス提供部と
を備えることを特徴とする異なるＳＡＦセッションのストリーム参照を介したＬＡＳｅＲサービス提供装置。
【請求項９】
前記参照する要素ストリームは、前記ＬＡＳｅＲサービス提供ストリームと異なるＳＡＦセッションに位置することを特徴とする請求項８に記載の異なるＳＡＦセッションのストリーム参照を介したＬＡＳｅＲサービス提供装置。
【請求項１０】
前記グロ−バル・ストリームＩＤ情報は、前記異なるＳＡＦセッションに位置した要素ストリームの別途ＬＡＳｅＲサービスについてのＩＤ情報を含むことを特徴とする請求項８に記載の異なるＳＡＦセッションのストリーム参照を介したＬＡＳｅＲサービス提供装置。
【請求項１１】
前記グロ−バル・ストリームＩＤテーブルは、各グロ−バル・ストリームのＩＤ情報、グロ−バル・ストリームの名称及び長さ情報を含んで構成されることを特徴とする請求項８に記載の異なるＳＡＦセッションのストリーム参照を介したＬＡＳｅＲサービス提供装置。
【請求項１２】
前記ＬＡＳｅＲサービス提供ストリームの参照値からサービスＩＤ値とグロ−バル・ストリームＩＤ値とを分析して処理するためのＩＤ処理部を備えることを特徴とする請求項８に記載の異なるＳＡＦセッションのストリーム参照を介したＬＡＳｅＲサービス提供装置。
【発明の詳細な説明】
【技術分野】
【０００１】
本発明は、グロ−バルＩＤを活用して異なるＳＡＦセッションに存在する要素ストリームを参照する構成に係り、詳細には、ＬＡＳｅＲサービス提供時に、ＬＡＳｅＲ場面記述（scene description）に存在するグロ−バル・ストリームＩＤをＬＡＳｅＲサービス提供のメインストリームで参照値として使用し、異なるＳＡＦセッションに存在する要素ストリームを参照できる方法、装置及びそのサービス提供装置に関する。
【背景技術】
【０００２】
現在、ＭＰＥＧ−４システム標準文書で提示されるマルチメディア・コンテンツの場面記述標準は、ＢＩＦＳ（Binary Format for Scenes）であるが、これは、ＭＰＥＧ−４システム標準文書（ＩＳＯ／ＩＥＣ １４４９６−１）に記載され、その量がほぼ２００ページに達する膨大な内容である。従って、かようなＢＩＦＳは、携帯電話のように、可用資源（usable resources）が貧弱な環境で使用するには適さないという意見によって、新たに標準化を始めたのがまさにＬＡＳｅＲ（Light Application Scene Representation）である。
【０００３】
すなわち、ＬＡＳｅＲは、携帯電話のように資源の不足したターミナルで、簡単なマルチメディアサービスを行うために作ったマルチメディア・コンテンツのフォーマットということができる。特に、ＭＰＥＧ−４ ＬＡＳｅＲでは、３ＧＰＰ Release ６で標準化しているテキスト及び報告書動作（report actions）ストリーミング方式を利用することになるが、かようなストリーミング時にパケットのフォーマットは、ＳＡＦ（Simple Aggregation Format）で定義される。前記ＳＡＦは、ＸＭＬ（テキスト形態）で表現され、現在提案されているＢｉＭ（二進形態）で表現されうる。
【発明の概要】
【発明が解決しようとする課題】
【０００４】
ただし前記ＳＡＦ標準と関連し、ＬＡＳｅＲ及びＳＡＦの構造で参照しようとするストリームが異なるＳＡＦセッションに存在する場合、現在のＳＡＦ標準ではこれを可能にする方法が存在しないということである。すなわち、互いに異なるＳＡＦセッションに位置するストリームをメインストリームで参照できないという問題点が存在するのである。
【課題を解決するための手段】
【０００５】
本発明は、前記問題点を解決するための記述的課題を解決するものであり、ＬＡＳｅＲ場面記述でグロ−バル・ストリームＩＤを利用して既存のＬＡＳｅＲ及びＳＡＦ構造の変換なしに、他のサーバから伝送されて互いに異なるＳＡＦセッションを使用する要素ストリームを参照できる方法、装置及びかようなサービス提供装置を提案しようとするものである。
【０００６】
前記記述的課題を達成するための本発明の一実施形態として、ＬＡＳｅＲサービスで異なるＳＡＦセッションのストリーム参照方法は、ＳＡＦセッションに位置したストリームで参照しようとする異なるＳＡＦセッションに位置した要素ストリームを決定する段階、前記決定された要素ストリームに対するＬＡＳｅＲサービス場面記述上のグロ−バル・ストリームＩＤ情報を確認する段階、及び前記確認されたグロ−バル・ストリームＩＤ情報を前記ＳＡＦセッションに位置したストリームの参照値として保存する段階を含んで構成される。
【０００７】
前記記述的課題を達成するための本発明の一実施形態として、ＬＡＳｅＲサービスでの異なるＳＡＦセッションのストリーム参照装置は、ＳＡＦセッションに位置したストリームで参照しようとする異なるＳＡＦセッションに位置した要素ストリームを決定する参照決定部、前記決定された要素ストリームに対するＬＡＳｅＲサービス場面記述上のグロ−バル・ストリームＩＤ情報を確認するストリームＩＤ確認部、及び前記確認されたグロ−バル・ストリームＩＤ情報を前記ＳＡＦセッションに位置したストリームの参照値として保存する参照保存部を備えて構成される。
【０００８】
前記記述的課題を達成するための本発明の一実施形態として、異なるＳＡＦセッションのストリーム参照を介したＬＡＳｅＲサービス提供装置は、ＬＡＳｅＲサービス提供ストリームの参照値から参照する要素ストリームのグロ−バル・ストリームＩＤ情報を確認するストリームＩＤ確認部、前記確認されたグロ−バル・ストリームＩＤ情報を基にグロ−バル・ストリームＩＤテーブルを利用し、前記参照する要素ストリームについての情報を獲得する参照情報獲得部、及び前記獲得された情報を基に前記要素ストリームを参照し、ＬＡＳｅＲサービスを提供するサービス提供部を備えて構成される。
【発明の効果】
【０００９】
本発明であるＬＡＳｅＲサービスでの異なるＳＡＦセッションのストリーム参照方法、装置及びそのサービス提供装置によれば、現存するＬＡＳｅＲ場面記述でのグロ−バル・ストリームＩＤを利用する方法を介してＬＡＳｅＲ及びＳＡＦ構造の変換なしに、他のサーバから伝送されて互いに異なるＳＡＦセッションを使用する要素ストリームをメインストリームで効率的に参照可能にする。
【図面の簡単な説明】
【００１０】
前述の目的を達成するための本発明である異なるＳＡＦセッションに位置した要素ストリーム参照のための方法は、添付した図面及び関連した詳細な説明を介してさらに明らかになる。
【図１】本発明の一実施形態によって、グロ−バル・ストリームＩＤを利用して異なるＳＡＦセッションに位置した要素ストリームを参照する様子を示した図面である。
【図２】本発明の一実施形態によって、ＬＡＳｅＲサービス提供ストリームでのグロ−バル・ストリームＩＤを利用した異なるＳＡＦセッションのストリーム参照方法を示すフローチャートである。
【図３】本発明の一実施形態によって、ＬＡＳｅＲサービス提供ストリームでのグロ−バル・ストリームＩＤを利用した異なるＳＡＦセッションのストリーム参照装置を示す図面である。
【図４】本発明の一実施形態によって、異なるＳＡＦセッションのストリーム参照を介したＬＡＳｅＲサービス提供装置を示す図面である。
【図５】本発明の一実施形態によって、図４でのＬＡＳｅＲサービス提供装置を詳細な構成で示した図面である。
【発明を実施するための形態】
【００１１】
以下、本発明の例示的な実施形態を示す添付図面を参照しつつ、本発明による一実施形態について詳細に説明する。
図１は、本発明の一実施形態によって、グロ−バル・ストリームＩＤを利用して異なるＳＡＦ（Simple Aggregation Format）セッション（session）に位置した要素ストリームを参照する様子を示した図面である。
これは、ＬＡＳｅＲ（Light Application Scene Representation）サービスＡで、ＬＡＳｅＲサービスＢが使用するビデオ要素ストリームを参照しようとするとき、ＬＡＳｅＲサービスＡ構成を記述するＬＡＳｅＲ場面記述Ａで、ＬＡＳｅＲサービスＢ構成を記述するＬＡＳｅＲ場面記述Ｂ上のビデオノードを指すところを示している。この指し示しは、要素ストリームの参照に対応する。
【００１２】
ここで、ＬＡＳｅＲサービスは、ＬＡＳｅＲ標準を活用して制作されたリッチメディア・コンテンツであり、前記リッチメディア・コンテンツとは、多様なビデオ、オーディオ、グラフィック、ユーザ・インタラクションを含むコンテンツをいう。
【００１３】
また、リッチメディア・コンテンツは、多様なメディアを使用するために、かようなメディアが画面上にいかように配されるのか、いかような時間に同期化されるのか、どのユーザ・インタラクションを受け入れるのかに係る一種のスクリプトが必要であり、かようなスクリプトに該当するのがまさにＬＡＳｅＲ場面記述ということができる。これと共に、前記ＳＡＦセッションは、論理的な要素ストリーム（elementary stream）のグループをいうものである。
【００１４】
これを基に図１について説明すれば、ＬＡＳｅＲサービスＡ １００のビデオノード１０１で、ＬＡＳｅＲサービスＢ １１０のビデオノード１１２を参照するためには、ＬＡＳｅＲサービスＡ １００のビデオノード１０１に存在するｈｒｅｆフィールドの属性の値がＬＡＳｅＲサービスＢ １１０のＩＤと、参照しようとするビデオノード１１２のグロ−バル・ストリームＩＤとを含んでいなければならない。
【００１５】
望ましくは、前記ＬＡＳｅＲサービスＡ １００がメインストリームであり、ＬＡＳｅＲサービスＡ １００とは異なるＳＡＦセッションであるＬＡＳｅＲＢ １１０にグループ化された、ＶＩＤＥＯ ２を表現するＶＩＤＥＯ ２ノード１１２は、グロ−バルＩＤが命名されている場合であって、ＬＡＳｅＲサービスＡ １００のＶＩＤＥＯ １を表現するＶＩＤＥＯ １ノード１０１に、実際のビデオストリームの位置を示すｈｒｅｆというフィールドが存在するが、その値は、＜ｖｉｄｅｏ ｉｄ＝”Ｖｉｄｅｏ１”ｈｒｅｆ＝”ＬＡＳｅＲサービスＢ ＩＤ／ｖｉｄｅｏ２のグロ−バルＩＤ”／＞と設定されるのである。
【００１６】
それにより、その後ＶＩＤＥＯ １ノード１０１情報を解釈するとき、ｈｒｅｆフィールドに示されたＩＤの関係をグロ−バルＩＤテーブルを活用して解釈することになるので、ＶＩＤＥＯ １（１０１）は、結局ＶＩＤＥＯ ２（１１２）で使われたメディアを活用できるのである。
【００１７】
すなわち、ノード参照というのは、ストリームの一定フォーマットを参照するのではなく、当該メディアの位置を参照するものであるといえる。
【００１８】
かようなノード参照は、ビデオノードに限定されず、イメージノード１０２、１１１など、他の要素ノードでもいかようにも参照可能である。
【００１９】
図２は、本発明の一実施形態によって、ＬＡＳｅＲサービス提供ストリームでのグロ−バル・ストリームＩＤを利用した異なるＳＡＦセッションのストリーム参照方法を示すフローチャートである。
【００２０】
図２を参照すれば、まず、ＳＡＦセッションに位置したストリームで参照しようとする異なるＳＡＦセッションに位置した要素ストリームを決定し（段階２００）、前記決定された要素ストリームに対するＬＡＳｅＲサービス場面記述上のグロ−バル・ストリームＩＤ情報を確認した後（段階２０１）、前記確認されたグロ−バル・ストリームＩＤ情報を前記ＳＡＦセッションに位置したストリームの参照値として保存する（段階２０２）。
【００２１】
ここで、前記ＳＡＦセッションに位置したストリームは、ＬＡＳｅＲサービス提供のメインストリーム、またはメインストリーム内の要素ストリームであり、前記異なるＳＡＦセッションに位置した要素ストリームは、別途ＬＡＳｅＲサービス提供の要素ストリームとする。
【００２２】
また、グロ−バル・ストリームＩＤ情報は、前記異なるＳＡＦセッションに位置した要素ストリームの別途ＬＡＳｅＲサービスについてのＩＤ情報を含むとする。
【００２３】
図３は、本発明の一実施形態によって、ＬＡＳｅＲサービス提供ストリームでのグロ−バル・ストリームＩＤを利用した異なるＳＡＦセッションのストリーム参照装置３００を示す図面である。
【００２４】
図３を参照すれば、異なるＳＡＦセッションのストリーム参照装置３００は、ＳＡＦセッションに位置したストリームで参照しようとする異なるＳＡＦセッションに位置した要素ストリームを決定する参照決定部３１０、前記決定された要素ストリームに対するＬＡＳｅＲサービス場面記述上のグロ−バル・ストリームＩＤ情報を確認するストリームＩＤ確認部３２０、及び前記確認されたグロ−バル・ストリームＩＤ情報を前記ＳＡＦセッションに位置したストリームの参照値として保存する参照保存部３３０を備える。ここで、前記グロ−バル・ストリームＩＤ情報は、前記異なるＳＡＦセッションに位置した要素ストリームの別途ＬＡＳｅＲサービスについてのＩＤ情報を含む。
【００２５】
図４は、本発明の一実施形態によって、異なるＳＡＦセッションのストリーム参照を介したＬＡＳｅＲサービス提供装置４００を示す図面である。
【００２６】
これは、異なるＳＡＦセッションの要素ストリームを参照するためのグロ−バル・ストリームＩＤ情報を参照値として有したＬＡＳｅＲサービス提供ストリームで、前記参照値を利用して前記要素ストリームを参照し、ＬＡＳｅＲサービスを提供する装置に係るものである。
【００２７】
図４を参照すれば、ＬＡＳｅＲサービス提供装置４００は、ＬＡＳｅＲサービス提供ストリームの参照値から参照する要素ストリームのグロ−バル・ストリームＩＤ情報を確認するストリームＩＤ確認部４１０、確認されたグロ−バル・ストリームＩＤ情報を基にグロ−バル・ストリームＩＤテーブルを利用し、参照する要素ストリームについての情報を獲得する参照情報獲得部４２０、及び獲得された情報を基に要素ストリームを参照し、ＬＡＳｅＲサービスを提供するサービス提供部４３０から構成される。
【００２８】
ここで、参照する要素ストリームは、前記ＬＡＳｅＲサービス提供ストリームのＳＡＦセッションと異なるＳＡＦセッションに位置するものとし、前記グロ−バル・ストリームＩＤ情報は、前記異なるＳＡＦセッションに位置した要素ストリームの別途ＬＡＳｅＲサービスについてのＩＤ情報を含むものとする。
【００２９】
また、グロ−バル・ストリームＩＤテーブルは、各グロ−バル・ストリームのＩＤ情報（local streamIdForThisGlobal）、グロ−バル・ストリームの名称（例、globalName）及び長さ情報（例、globalNameLength）を含んで構成されるものとする。
【００３０】
望ましくは、前記ＬＡＳｅＲサービス提供装置４００は、前記ＬＡＳｅＲサービス提供ストリームの参照値からサービスＩＤ値とグロ−バル・ストリームＩＤ値とを分析して処理するためのＩＤ処理部をさらに備える。
【００３１】
図５は、本発明の一実施形態によって、図４でのＬＡＳｅＲサービス提供装置について、詳細な構成で示した図面である。
【００３２】
これは、図４でのＬＡＳｅＲサービス提供装置を細部構成で表現したものであり、ＬＡＳｅＲサービスを提供する端末５１０にＬＡＳｅＲサービスＡを提供しつつ、ＬＡＳｅＲ場面記述Ａ ５２０上で、ＬＡＳｅＲ Ｂストリーム５２５を参照するときを仮定したものである。
【００３３】
図５を参照すれば、ＬＡＳｅＲサービスプレーヤ５００は、サービスＩＤとグロ−バルＩＤ（グロ−バル・ストリームＩＤ）とを分析して処理するＬＡＳｅＲ場面解釈モジュール５０２と、前記分析された値によって異なるＳＡＦセッションに属した要素ストリーム、あるいはリソースを参照する場合には、参照値であるグロ−バル・ストリームＩＤ情報を基にグロ−バル・ストリームＩＤテーブル５４０を利用して参照されるストリームを確認する逆多重化モジュール５０５とを備える。
【００３４】
また、ＬＡＳｅＲ場面解釈モジュール５０２は、ＩＤ処理モジュール５０３を構成として有してＬＡＳｅＲ場面記述の解釈を担当し、ＬＡＳｅＲ表現エンジン５０１が解釈された場面を端末に表現できるように処理する役割を行う。前記ＬＡＳｅＲ表現エンジン５０１を介して提供される場面は、ＬＡＳｅＲサービス提供端末５１０で、ビデオ５１１とイメージ５１２とで示される。その他、ＬＡＳｅＲサービスプレーヤ５００は、デコーディングを行うメディアデコーダ・モジュール５０４を備える。詳細な構成として、ＩＤ処理モジュール５０３は、ＩＤ保存部５１５において、区分されたＩＤを保存して処理できるようにする。
【００３５】
本発明はまた、コンピュータで読み取り可能な記録媒体にコンピュータで読み取り可能なコードとして具現することが可能である。コンピュータで読み取り可能な記録媒体は、コンピュータシステムによって読み取り可能なデータが保存されるあらゆる種類のデータ記録装置を含む。コンピュータで読み取り可能な記録媒体の例としては、ＲＯＭ（Read-Only Memory）、ＲＡＭ（Random-Access Memory）、ＣＤ−ＲＯＭ、磁気テープ、フロッピー（登録商標）ディスク、光データ保存装置などがあり、またキャリアウェーブ（例えば、インターネットを介したデータ伝送）の形態で具現されるものも含む。また、コンピュータで読み取り可能な記録媒体は、ネットワークに連結されたコンピュータシステムに分散され、分散方式でコンピュータで読み取り可能なコードが保存されて実行されうる。
【００３６】
以上、図面と明細書とで最適な実施形態が開示された。本技術分野の当業者ならば、それらから多様な変形及び均等な他実施形態が可能であるという点を理解することが可能であろう。従って、本発明の真の技術的保護範囲は、特許請求の範囲の技術的思想によって決まるのである。
【図１】
2010507314.tif 000003
【図２】
2010507314.tif 000004
【図３】
2010507314.tif 000005
【図４】
2010507314.tif 000006
【図５】
2010507314.tif 000007
【手続補正書】
【提出日】平成21年6月16日(2009.6.16)
【手続補正１】
【補正対象書類名】特許請求の範囲
【補正対象項目名】全文
【補正方法】変更
【補正の内容】
【特許請求の範囲】
【請求項１】
ＳＡＦ（Simple Aggregation Format）セッションに位置したストリームで参照しようとする異なるＳＡＦセッションに位置した要素ストリームを決定する段階と、
前記決定された要素ストリームに対するＬＡＳｅＲ（Light Application Scene Representation）サービス場面記述上のグロ−バル・ストリームＩＤ情報を確認する段階と、
前記確認されたグロ−バル・ストリームＩＤ情報を前記ＳＡＦセッションに位置したストリームの参照値として保存する段階と
を含むことを特徴とするＬＡＳｅＲサービスでの異なるＳＡＦセッションのストリーム参照方法。
【請求項２】
前記ＳＡＦセッションに位置したストリームは、ＬＡＳｅＲサービス提供のメインストリーム、またはメインストリーム内の要素ストリームであることを特徴とする請求項１に記載のＬＡＳｅＲサービスでの異なるＳＡＦセッションのストリーム参照方法。
【請求項３】
前記異なるＳＡＦセッションに位置した要素ストリームは、別途ＬＡＳｅＲサービス提供の要素ストリームであることを特徴とする請求項１に記載のＬＡＳｅＲサービスでの異なるＳＡＦセッションのストリーム参照方法。
【請求項４】
前記グロ−バル・ストリームＩＤ情報は、前記異なるＳＡＦセッションに位置した要素ストリームの別途ＬＡＳｅＲサービスについてのＩＤ情報を含むことを特徴とする請求項３に記載のＬＡＳｅＲサービスでの異なるＳＡＦセッションのストリーム参照方法。
【請求項５】
請求項１ないし請求項４のうちいずれか１項に記載のＬＡＳｅＲサービスでの異なるＳＡＦセッションのストリーム参照方法をコンピュータに実行させるためのプログラムを記録したコンピュータで読み取り可能な記録媒体。
【請求項６】
ＳＡＦセッションに位置したストリームで参照しようとする異なるＳＡＦセッションに位置した要素ストリームを決定する参照決定部と、
前記決定された要素ストリームに対するＬＡＳｅＲサービス場面記述上のグロ−バル・ストリームＩＤ情報を確認するストリームＩＤ確認部と、
前記確認されたグロ−バル・ストリームＩＤ情報を前記ＳＡＦセッションに位置したストリームの参照値として保存する参照保存部と
を備えることを特徴とするＬＡＳｅＲサービスでの異なるＳＡＦセッションのストリーム参照装置。
【請求項７】
前記グロ−バル・ストリームＩＤ情報は、前記異なるＳＡＦセッションに位置した要素ストリームの別途ＬＡＳｅＲサービスについてのＩＤ情報を含むことを特徴とする請求項６に記載のＬＡＳｅＲサービスでの異なるＳＡＦセッションのストリーム参照装置。
【請求項８】
ＬＡＳｅＲサービス提供ストリームの参照値から参照する要素ストリームのグロ−バル・ストリームＩＤ情報を確認するストリームＩＤ確認部と、
グロ−バル・ストリームＩＤテーブルを利用し、前記参照する要素ストリームについての情報を獲得する参照情報獲得部と、
前記獲得された情報を基に前記要素ストリームを参照し、ＬＡＳｅＲサービスを提供するサービス提供部と
を備えることを特徴とする異なるＳＡＦセッションのストリーム参照を介したＬＡＳｅＲサービス提供装置。
【請求項９】
前記参照する要素ストリームは、前記ＬＡＳｅＲサービス提供ストリームと異なるＳＡＦセッションに位置することを特徴とする請求項８に記載の異なるＳＡＦセッションのストリーム参照を介したＬＡＳｅＲサービス提供装置。
【請求項１０】
前記グロ−バル・ストリームＩＤ情報は、前記異なるＳＡＦセッションに位置した要素ストリームの別途ＬＡＳｅＲサービスについてのＩＤ情報を含むことを特徴とする請求項８に記載の異なるＳＡＦセッションのストリーム参照を介したＬＡＳｅＲサービス提供装置。
【請求項１１】
前記グロ−バル・ストリームＩＤテーブルは、各グロ−バル・ストリームのＩＤ情報、グロ−バル・ストリームの名称及び長さ情報を含んで構成されることを特徴とする請求項８に記載の異なるＳＡＦセッションのストリーム参照を介したＬＡＳｅＲサービス提供装置。
【請求項１２】
前記ＬＡＳｅＲサービス提供ストリームの参照値からサービスＩＤ値とグロ−バル・ストリームＩＤ値とを分析して処理するためのＩＤ処理部を備えることを特徴とする請求項８に記載の異なるＳＡＦセッションのストリーム参照を介したＬＡＳｅＲサービス提供装置。
【請求項１３】
場面表現サービス提供ストリームの参照値から、異なるＳＡＦセッションに位置した参照しようとする要素ストリームのグロ−バル・ストリームＩＤ情報を確認する参照対象確認段階と、
前記確認されたグロ−バル・ストリームＩＤ情報を基に構成されたグロ−バル・ストリームＩＤテーブルを利用し、前記要素ストリームについての情報を獲得する参照情報獲得段階と、
前記獲得された情報を基に前記要素ストリームを参照し、場面表現サービスを提供するサービス提供段階と
を含むことを特徴とするストリーム参照の場面表現サービス提供方法。
【請求項１４】
前記グロ−バル・ストリームＩＤ情報は、前記異なるＳＡＦセッションに位置した要素ストリームの別途の場面表現サービスについてのＩＤ情報を含むことを特徴とする請求項１３に記載のストリーム参照の場面表現サービス提供方法。
【請求項１５】
前記グロ−バル・ストリームＩＤテーブルは、各グロ−バル・ストリームのＩＤ情報、グロ−バル・ストリームの名称及び長さ情報を含んで構成されることを特徴とする請求項１３に記載のストリーム参照の場面表現サービス提供方法。
【手続補正２】
【補正対象書類名】明細書
【補正対象項目名】００１１
【補正方法】変更
【補正の内容】
【００１１】
以下、本発明の例示的な実施形態を示す添付図面を参照しつつ、本発明による一実施形態について詳細に説明する。
本発明に係る、ＳＡＦセッションに位置したストリームで参照しようとする要素ストリームであって、異なるＳＡＦセッションに位置した要素ストリームを参照する方法は、添付図面を参照しながら本明細書の例示的な実施形態に記述することによってさらに明らかになるだろう。
本明細書で使われる「ＬＡＳｅＲ」という用語は、ＭＰＥＧ−４パート２０に記述された標準記述を直接指すが、本発明による記述的構成は、携帯電話のように資源が不足した端末で、リッチ・メディアサービスを提供するためのマルチメディア・コンテンツの場面表現方法であり、本発明のＬＡＳｅＲは、モバイル端末で、地図、アニメーション及び二次元ベクトル・グラフィックのようなアプリケーションにいずれも応用できる。従って、以下で「ＬＡＳｅＲ」という用語は、ＭＰＥＧ−４パート２０の記述を意味すると同時に、（携帯電話のように、資源が不足した端末でリッチ・メディアサービス提供のために要求される）一般的な場面記述（Scene Description）または場面表現（Scene Representation）のための記述を指すものと理解されねばならない。
図１は、本発明の一実施形態によって、グロ−バル・ストリームＩＤを利用して異なるＳＡＦ（Simple Aggregation Format）セッション（session）に位置した要素ストリームを参照する様子を示した図面である。
これは、ＬＡＳｅＲ（Light Application Scene Representation）サービスＡで、ＬＡＳｅＲサービスＢが使用するビデオ要素ストリームを参照しようとするとき、ＬＡＳｅＲサービスＡ構成を記述するＬＡＳｅＲ場面記述Ａで、ＬＡＳｅＲサービスＢ構成を記述するＬＡＳｅＲ場面記述Ｂ上のビデオノードを指すところを示している。この指し示しは、要素ストリームの参照に対応する。
【国際調査報告】
2010507314.tif 000008
2010507314.tif 000009